(57)【要約】【目的】シロッコファンを用いた送風装置の吹出口に、冷却風の流れる方向を調整する整流板を設置し、冷却風の吹出口における流量分布を均一化する。【解決手段】シロッコファン７０を覆うファンカバー８０の筐体８１には、シロッコファン７０が発生させた冷却風を集中させて吹き出すための吹出口８２が形成されている。この吹出口８２に、３枚の整流板９Ａ，９Ｂ，９Ｃからなる流量調整部９が筐体８１と一体に形成されている。整流板９Ａ，９Ｂ，９Ｃは、吹出口８２に集中した冷却風の流れる方向を調整し、吹出口８２から吹き出される冷却風の、吹出口８２の開口面における流量分布を均一化する。【選択図】          図１
2004151648.tif 000002
【特許請求の範囲】
【請求項１】
回転軸の径方向に延びた複数のファンブレードが、該回転軸の周方向に沿って配設されてなるシロッコファンと、該シロッコファンを覆う筐体を有してなるファンカバーとを備え、前記筐体には、該筐体の外部の空気を内部に取り込むための吸気口と、前記シロッコファンの回転により発生した冷却風を集中させて吹き出すための吹出口とが形成された送風装置において、
前記筐体の前記吹出口近傍において前記冷却風の流れる方向を調整する少なくとも１枚の整流板を有し、該整流板によって、該吹出口から吹き出される該冷却風の、該吹出口の開口面における流量分布を略均一化する流量調整部を備えてなることを特徴とする送風装置。
【請求項２】
前記流量調整部が、前記筐体と一体に形成されていることを特徴とする請求項１記載の送風装置。
【請求項３】
前記流量調整部が、前記筐体と別体に、かつ前記吹出口付近に設置可能に形成されていることを特徴とする請求項１記載の送風装置。
【請求項４】
光源部と、該光源部からの光を所定の照明光として出力する照明光学系と、該照明光学系からの前記照明光を、画像情報を担持した画像表示光に変換して出力する画像表示手段と、該画像表示手段からの前記画像表示光を射出して、画像投写面上に画像を投写する投写レンズ系とを備えた投写型画像表示装置であって、
請求項１〜３のいずれか１項記載の送風装置と、
該送風装置の前記吹出口から吹き出された、前記流量分布が略均一化された前記冷却風を分流し、該分流された各冷却風を所定の熱源部材の各々に導く送風ダクトとを備えてなることを特徴とする投写型画像表示装置。
【発明の詳細な説明】
【０００１】
【発明の属する技術分野】
本発明は、光源や電子部品等の各種熱源部材を冷却するために用いられるシロッコファンタイプの送風装置、およびそのような送風装置を備えた、液晶プロジェクタ等の投写型画像表示装置に関するものである。
【０００２】
【従来の技術】
従来、液晶表示パネルやデジタル・マイクロミラー・デバイス（ＤＭＤ）等の画像表示素子により照明光を光変調し、それを拡大投映する投写型画像表示装置が知られている。この種の投写型画像表示装置は、ハロゲンランプや超高圧水銀灯等の高輝度ランプが使用される光源や、光源からの光を透過あるいは反射させる画像表示素子等の熱源部材を有するため、これらの熱源部材の温度上昇を防止するための冷却風を発生させる送風装置を備えている。
【０００３】
この種の送風装置においては、軸流ファンに比べて送風ダクト等による冷却風の取り回しがし易く、また軸流ファンよりも動作音が小さく機器全体の静音化が図れる等の利点があるため、下記特許文献１に記載されているような、シロッコファンが多く用いられている。
【０００４】
一般に、送風装置を含む機器全体の静音化を図る場合、小型のファンを多数用いるより、大型のファンを少数設置し、これらを低速運転した方が有利である。このため、１つの大型ファンを備えた１つの送風装置を用い、この送風装置から発生した冷却風を送風ダクトにより分流し、複数の熱源部材の各々に導くようにすることが多い。
【０００５】
例えば、透過型液晶プロジェクタにおいては、赤、緑、青の各色光に対応した、透過型ライトバルブとしての３つの液晶パネルを備えているが、下記特許文献２においては、この３つの液晶パネルの各々に対して、１つの送風装置で発生した冷却風を送風ダクトにより分流して導くことが開示されている。
【０００６】
【特許文献１】
特開２００１−１３２６９４号公報
【特許文献２】
特開２００１−５１３４９号公報
【０００７】
【発明が解決しようとする課題】
ところで、冷却を必要とする熱源部材が複数ある場合、各熱源部材の温度上昇の態様はそれぞれ異なり、冷却のために必要となる冷却風の量もそれぞれ異なるのが一般的である。このため、１つの送風装置から発生した冷却風を分流して複数の熱源部材の各々に導くようにする場合、送風装置からの冷却風を熱源部材の各々が必要とする風量の比に応じて分けるのが効率的である。
【０００８】
例えば、上述した透過型液晶プロジェクタにおいては、青色光に対応した液晶パネル、緑色光に対応した液晶パネル、赤色光に対応した液晶パネルの順に温度上昇し易く、このため冷却に際しても、この順に、より多くの量の冷却風が必要となる。上記特許文献２には、１つの送風装置で発生した冷却風を、３つの液晶パネルの各々に分配する割合の一例が記載されている。
【０００９】
このように、１つの送風装置から発生した冷却風を、複数の熱源部材の各々が必要とする風量の比に応じて分配するのが好ましいことは知られているが、実際に、１つの送風装置からの冷却風を所望の風量比に分けるためには、各送風ダクトの断面積比の調整等に多くの試行錯誤を伴う、極めて煩雑な作業が必要となる。冷却風を分流することが極めて煩雑になる大きな要因は、シロッコファンを用いた従来の送風装置では、その吹出口の開口面における冷却風の流量分布が、一般に均一でないことにある。
【００１０】
この点について、以下、図面を用いて簡単に説明する。図７は、従来の送風装置の断面図で、吹出口における冷却風の流量分布の一例を示している。図７に示す送風装置１００は、シロッコファン１１０をファンカバー１２０内に収容してなる。シロッコファン１１０は、回転軸Ｃの径方向に延びた複数のファンブレード１１１が、回転軸Ｃの周方向に沿って配設されてなり、図示せぬモータの駆動力によって、回転軸Ｃを中心に回転するようになっている。ファンカバー１２０は、シロッコファン１１０を覆う筐体１２１を有してなり、この筐体１２１には、外部の空気を内部に取り込むための吸気口（不図示）と、シロッコファン１１０の回転により発生した冷却風（その大まかな流れを２点鎖線の矢線で示す）を集中させて吹き出すための吹出口１２２とが形成されている。
【００１１】
図示した送風装置１００では、シロッコファン１１０が回転すると不図示の吸気口から空気を内部に取り込みつつ、シロッコファン１１０内側の空気をシロッコファン１１０の遠心力により外側に押し出し、これにより生み出された冷却風を、筐体１２１の内壁面１２１ａに沿って流れさせながら吹出口１２２に集中させ、この吹出口１２２から吹き出させるようになっている。このようにシロッコファン１１０で生み出された冷却風は、シロッコファン１１０の内側から外側へと押し出されるため、吹出口１２２の開口面における冷却風の流量分布は、吹出口１２２の外端１２２ａ側に偏った不均一なものとなる。図７では、その流量分布の大まかな状態を、実線の矢線（矢線の長さが流量の大きさを表す）と、その矢先を結ぶ曲線とにより示している。
【００１２】
上述のように、従来の送風装置では、その吹出口の開口面における冷却風の流量分布が不均一である。このため、１つの送風装置からの冷却風を必要な風量比に分けるために、送風装置の吹出口に複数の送風ダクトを連結する場合、各送風ダクトの冷却風取入口の面積比を、単純に必要な風量比に合致するように設定しても所期の結果を得ることはできず、流量分布の不均一性を考慮しながらの多くの試行錯誤が必要となる。
【００１３】
上記特許文献１には、吹出口の開口を絞ることによって、冷却風をより集中させて吹き出させる技術が記載されている。冷却風をより集中させることによって、上記流量分布の不均一性は、ある程度改善されることが期待される。しかし、吹出口を絞ることにより、シロッコファンが本来有している送風性能が損なわれ、冷却風の総流量が減少してしまうという問題がある。
【００１４】
本発明は上記事情に鑑みなされたもので、シロッコファンの送風性能を損なうことなく、吹出口における冷却風の流量分布の均一化が図れる送風装置、およびそのような送風装置を備えた投写型画像表示装置を提供することを目的とする。
【００１５】
【課題を解決するための手段】
上記課題を解決するため本発明の送風装置は、回転軸の径方向に延びた複数のファンブレードが、該回転軸の周方向に沿って配設されてなるシロッコファンと、該シロッコファンを覆う筐体を有してなるファンカバーとを備え、前記筐体には、該筐体の外部の空気を内部に取り込むための吸気口と、前記シロッコファンの回転により発生した冷却風を集中させて吹き出すための吹出口とが形成された送風装置において、前記筐体の前記吹出口近傍において前記冷却風の流れる方向を調整する少なくとも１枚の整流板を有し、該整流板によって、該吹出口から吹き出される該冷却風の、該吹出口の開口面における流量分布を略均一化する流量調整部を備えてなることを特徴とするものである。
【００１６】
前記流量調整部は、前記筐体と一体に形成するか、あるいは、前記筐体とは別体にかつ前記吹出口付近に設置可能に形成するようにしてもよい。
【００１７】
流量調整部を筐体と一体に形成した場合には、部品点数の削減により組立作業の簡素化が図れるという利点があり、流量調整部を筐体と別体に形成して、吹出口付近に設置可能にした場合には、利用者のニーズに応じて、流量調整部を設置するか否かを適宜選択し得るという利点がある。
【００１８】
また、本発明の投写型画像表示装置は、光源部と、該光源部からの光を所定の照明光として出力する照明光学系と、該照明光学系からの前記照明光を、画像情報を担持した画像表示光に変換して出力する画像表示手段と、該画像表示手段からの前記画像表示光を射出して、画像投写面上に画像を投写する投写レンズ系とを備えた投写型画像表示装置であって、上記特徴を備えた本発明の送風装置と、該送風装置の前記吹出口から吹き出された、前記流量分布が略均一化された前記冷却風を分流し、該分流された各冷却風を所定の熱源部材の各々に導く送風ダクトとを備えてなることを特徴とするものである。
【００１９】
【発明の実施の形態】
以下、本発明の実施形態について、図面を参照しながら詳細に説明する。
図１は、本発明の一実施形態に係る送風装置の概略構成を示す断面図、図２は、その吹出口付近の構成を模式的に示す断面斜視図である。なお、図１中の２点鎖線の矢線は、冷却風の大まかな流れを表している。
【００２０】
図１に示すように、本実施形態の送風装置７は、シロッコファン７０をファンカバー８０内に収容してなる。シロッコファン７０は、回転軸Ｃの径方向に延びた翼型断面の複数のファンブレード７１が、回転軸Ｃの周方向に沿って配設されてなり、図示せぬモータの駆動力によって、回転軸Ｃを中心に回転するようになっている。ファンカバー８０は、シロッコファン７０を覆う筐体８１を有してなり、この筐体８１には、外部の空気を内部に取り込むための吸気口（不図示）と、シロッコファン７０の回転により発生した冷却風を集中させて吹き出すための吹出口８２とが形成されている。
【００２１】
また、上記吹出口８２の内部側近傍には、冷却風の流れる方向を調整する、３枚の整流板９Ａ，９Ｂ，９Ｃからなる流量調整部９が筐体８１と一体に形成されている。３枚の整流板９Ａ，９Ｂ，９Ｃは、いずれも翼型断面の流線形をなし、それぞれ以下のように配置されている。すなわち、整流板９Ａは、筐体８１の内壁面８１ａに対して斜めに、かつ吹出口８２に近づくにしたがって内壁面８１ａとの間隔が広くなるように配置されている。整流板９Ｂは、整流板９Ａに比べてその全長が短く形成され、また、整流板９Ａと略平行に配置されている。整流板９Ｃは、整流板９Ｂよりもさらにその全長が短く形成され、また、整流板９Ｂに対して斜めに、かつ吹出口８２に近づくにしたがって整流板９Ｂとの間隔が狭くなるように配置されている。
【００２２】
上述した整流板９Ａ，９Ｂ，９Ｃの配置例は、整流板９Ａ，９Ｂ，９Ｃが配置されない状態における、冷却風の吹出口８２の開口面における流量分布が、図７に示した従来の送風装置１００と同様に、吹出口８２の外端８２ａ側に偏った不均一なものとなることを想定し、それに対応させたものである。
【００２３】
送風装置７では、シロッコファン７０が回転すると不図示の吸気口から空気を内部に取り込みつつ、シロッコファン７０の内側の空気をシロッコファン７０の遠心力により外側に押し出し、これにより生み出された冷却風を、筐体８１の内壁面８１ａに沿って流れさせながら吹出口８２に集中させる。さらに、集中せしめられた冷却風の向きを整流板９Ａ，９Ｂ，９Ｃによって調整し、吹出口８２から吹き出させるようになっている。
【００２４】
このように、吹出口８２に集中せしめられた冷却風は、整流板９Ａ，９Ｂ，９Ｃによって、その向きを調整されて吹出口８２より吹き出されるため、吹出口８２の開口面における冷却風の流量分布は、略均一なものとなる。図１では、その流量分布の大まかな状態を、実線の矢線（矢線の長さが流量の大きさを表す）と、その矢先を結ぶ曲線とにより示している。
【００２５】
また、吹出口８２の開口を絞っていないので、シロッコファン７０の送風性能を損なうことなく、シロッコファン７０によって生み出された冷却風を有効に利用することが可能である。さらに、整流板９Ａ，９Ｂ，９Ｃが筐体８１と一体に形成（例えば、プラスチック樹脂による一体成型）されているので、整流板９Ａ，９Ｂ，９Ｃを筐体８１と別部材とした場合に比べて部品点数が少なくなり、組立作業の効率化が図れる。
【００２６】
なお、図１では、整流板９Ａ，９Ｂ，９Ｃの形状を、その各断面中心線がいずれも直線的に延びるように形成しているが、吹出口８２の開口面において、吹き出される冷却風の向きが開口面に対して直角となるようにするには、以下のように形成するのが好ましいと考えられる。すなわち、図３に示すように、整流板９Ａ，９Ｂ，９Ｃの各断面中心線（１点鎖線の曲線で示す）が、シロッコファン７０の回転軸Ｃに対して凸状をなすと共に、吹出口８２に近い部分が、吹出口８２の開口面に対して略直角となるように、整流板９Ａ，９Ｂ，９Ｃを形成するのが好ましい。ここで図３は、整流板の中心線の形状および整流板の配置の一例を示す図である。なお、図３では、図１に示す部材と共通するものに、同一の番号を付している。
【００２７】
次に、上述した送風装置７を備えた投写型画像表示装置について、図面を用いて説明する。図４は、本発明の一実施形態に係る投写型画像表示装置の光学系の概略構成図である。
【００２８】
図４に示すように、この投射型画像表示装置は、透過型液晶プロジェクタであり、光源部１と、この光源部１から発せられた光束をミキシングして、光量分布の均一化を図るためのインテグレータ部２、およびインテグレータ部２により均一光とされた光束の光路を投射部４の方向に折り曲げる曲面ミラー３からなる照明光学系と、この光束に画像情報を担持せしめてスクリーンに投射するための画像表示手段としての投射部４とを備えている。
【００２９】
上記光源部１は、図４に示すように、超高圧水銀灯やメタルハライドランプ等の放電管からなりランダムな偏光方向の光を射出する発光体１１と、放物面ミラーよりなるリフレクタ１２とからなる。このリフレクタ１２は発光体１１の発光源を焦点位置とするものであり、発光体１１から発せられ光源部１の光軸の後方および外方へ向かう光束の一部を該光軸に略平行な光束として反射させるものである。
【００３０】
上記インテグレータ部２は、光源部１からの光束に対して作用する第２フライアイ２１と、第２フライアイ２１からの各光束による光スポットを後述する液晶パネル上に重畳せしめる第１フライアイ２２と、第１フライアイ２２からの各光束の偏光方向を所定の方向に統一する偏光変換手段としての偏光ビームスプリッタ（ＰＢＳ）２３とを備えてなる。また、上記曲面ミラー３は、この曲面ミラー３により折り曲げられる光束の光軸を含む断面においてその断面が放物線の一部分となるような、放物面ミラー３１よりなる。
【００３１】
上記投射部４は、インテグレータ部２により均一化された光束を、Ｂ成分ＬＢと、ＧＲ成分ＬＧ、ＬＲとに分離するためのＢ／ＧＲ分離用ダイクロイックミラー４１と、ダイクロイックミラー４１により分離されたＧＲ成分ＬＧ、ＬＲを、Ｇ成分ＬＧと、Ｒ成分ＬＲとに分離するためのＧ／Ｒ分離用ダイクロイックミラー４２とを備えている。また、Ｂ成分用の画像が表示される液晶パネル４３Ｂ（１対の偏光板により狭持されてなる；液晶パネル４３Ｇ、４３Ｒにおいて同じ）と、Ｇ成分用の画像が表示される液晶パネル４３Ｇと、Ｒ成分用の画像が表示される液晶パネル４３Ｒとを備え、さらに、各液晶パネル４３Ｂ、４３Ｇ、４３Ｒを透過して画像情報が担持された光束の成分ＬＢ、ＬＧ、ＬＲを合成する３色合成プリズム４５を備えている。また、Ｂ／ＧＲ分離用ダイクロイックミラー４１により分離されたＢ成分ＬＢを液晶パネル４３Ｂに向けて反射する全反射ミラー４４と、Ｇ／Ｒ分離用ダイクロイックミラー４２により分離されたＲ成分ＬＲを液晶パネル４３Ｒに向けて反射するための全反射ミラー４６、４７と、投写レンズ系４８とを備えている。
【００３２】
なお、上記３色合成プリズム４５はクロスプリズムであり、Ｂ成分ＬＢに対して反射するダイクロイック面４５Ｂと、Ｒ成分ＬＲに対して反射するダイクロイック面４５Ｒとを有するものである。
【００３３】
投写レンズ系４８は、図示を省略しているが、鏡胴４８ａ内において光軸上に直列的に配置された複数枚のレンズと、これら複数枚のレンズを光軸方向に移動させて焦点距離を変化させ、画像倍率、投写距離等を変えることができるレンズ移動機構とを備えており、上記３色合成プリズム４５により合成された画像表示光を画像投写面（スクリーン）に向けて投写するように構成されている。
【００３４】
上述した送風装置７は、上記投写型画像表示装置において、上記液晶パネル４３Ｂ，４３Ｇ，４３Ｒを冷却するために用いられる。以下、液晶パネル４３Ｂ，４３Ｇ，４３Ｒを冷却するための構成について、図面を用いて説明する。図５は、各液晶パネル４３Ｂ，４３Ｇ，４３Ｒを冷却するための構成を示す斜視図、図６は、それに用いられる送風ダクトの構成を示す斜視図である。
【００３５】
上記送風装置７は、投写レンズ系４８の近傍に配置され、上記ファンカバー８０の筐体８１には、上記吹出口８２（図１参照）から吹き出される冷却風を分流して、上記液晶パネル４３Ｂ，４３Ｇ，４３Ｒの各々に導くための送風ダクト６が連結されている。
【００３６】
図６に示すように送風ダクト６は、吹出口８２に取り付けられる連結部６１と、冷却風を導くダクト部６２とからなり、ダクト部６２は、３つの風路を備えてなる。すなわち、液晶パネル４３Ｂを冷却するための風路（液晶パネル４３Ｂに対向した送風口６３Ｂと冷却風の取入口６４Ｂとを結ぶ風路）、液晶パネル４３Ｇを冷却するための風路（液晶パネル４３Ｇに対向した送風口６３Ｇと冷却風の取入口６４Ｇとを結ぶ風路）、および液晶パネル４３Ｒを冷却するための風路（液晶パネル４３Ｒに対向した送風口６３Ｒと冷却風の取入口６４Ｒとを結ぶ風路）の３つである。
【００３７】
各送風口６３Ｂ，６３Ｇ，６３Ｒの開口面積は、略同じ大きさに形成されているのに対し、各取入口６４Ｂ，６４Ｇ，６４Ｒの開口面積の比は、液晶パネル４３Ｂ，４３Ｇ，４３Ｒの各々を冷却するのに必要な風量の比と略合致するように設定されている。すなわち、液晶パネル４３Ｂ，４３Ｇ，４３Ｒは、この順に温度が上昇し易いため、この順に、より多くの量の冷却風が必要となる。上述したように、送風装置７の吹出口８２から吹き出される冷却風の流量分布は、吹出口８２の開口面において略均一化されている。したがって、３つの取入口６４Ｂ，６４Ｇ，６４Ｒの開口面積の比を、液晶パネル４３Ｂ，４３Ｇ，４３Ｒの各々を冷却するのに必要な風量の比と略合致させることによって、送風口６３Ｂ，６３Ｇ，６３Ｒにおいて得られる風量の比を、上記各必要な風量の比に略合致させることが可能になる。
【００３８】
このように、上述した整流板９Ａ，９Ｂ，９Ｃの作用によって、送風装置７の吹出口８２から吹き出される冷却風の流量分布が、吹出口８２の開口面において略均一化されていることにより、送風ダクト６の各取入口６４Ｂ，６４Ｇ，６４Ｒの開口面積比を、液晶パネル４３Ｂ，４３Ｇ，４３Ｒの各々が冷却用に必要とする所望の風量比に合致するように設定するだけで、冷却風を容易に所望の風量比に分流して、液晶パネル４３Ｂ，４３Ｇ，４３Ｒの各々に導くことが可能である。
【００３９】
以上、本発明の送風装置およびそれを備えた投写型画像表示装置の実施形態について説明したが、本発明装置は上述した実施形態に限られず、種々の態様の変更が可能である。
【００４０】
例えば、上記実施形態では、３枚の整流板を配置した例を示しているが、整流板の配置枚数やその形状等は、この実施形態の態様に限られるものではない。本発明は、送風装置の吹出口における冷却風の流量分布を略均一化するために、整流板を配する点に本質があり、どのように整流板を配置すればよいかは、送風装置の特性などにより、適宜決定されるものである。
【００４１】
また、上記実施形態では、整流板がファンカバーと一体に形成されているが、整流板をファンカバーと別体に形成し、ファンカバーに着脱できるようにしてもよい。整流板を別体とすることにより、同じ送風装置を異なるタイプ、すなわち、整流板を装着して風量分布の均一化が図られたタイプと、整流板が装着されず風量分布が不均一のタイプとして用いることが可能となる。
【００４２】
さらに、上記実施形態では、全ての整流板が送風装置の吹出口の内部側に配置されているが、整流板の一部または全部（整流板を別体とすることにより可能）を送風装置の吹出口の外部側あるいは吹出口をまたぐように配置することも可能である。
【００４３】
また、上記実施形態では、本発明の送風装置を透過型液晶プロジェクタの液晶パネル冷却用に用いた例を説明しているが、本発明の送風装置は、反射型液晶プロジェクタや、ＤＭＤを用いたビデオプロジェクタへの適用は勿論のこと、熱源部材を有する種々の機器に対して用いることが可能である。
【００４４】
【発明の効果】
以上詳細に説明したように、本発明の送風装置は、シロッコファンを覆うファンカバー筐体の吹出口近傍に流量調整部を備えている。この流量調整部は、冷却風の流れる方向を調整する整流板を有し、この整流板によって、吹出口の開口面における冷却風の流量分布を略均一化する。
【００４５】
このように、本発明の送風装置によれば、整流板を用いて冷却風の流量分布を均一化するので、吹出口の開口を絞ることによって流量分布の不均一性を改善する従来技術とは異なり、シロッコファンの送風性能を大きく損なうことがない。
【００４６】
また、吹出口から吹き出される冷却風の流量分布が均一化されることによって、送風装置からの冷却風を所望の風量比に分けようとした場合、分流用送風ダクトの各冷却風取入口の面積比を必要な風量比に合致するように設定するだけで、容易に冷却風を所望の風量比に分けることが可能となる。したがって、これまで多くの試行錯誤が必要であった送風ダクトの設計作業を大幅に簡略化することが可能となる。
【００４７】
また、本発明の投写型画像表示装置によれば、シロッコファンの送風性能を損なうことなく、冷却風の流量分布を均一化できる送風装置を備えているので、複数の熱源部材に対して、その必要量に応じた冷却風を、１つの送風装置から効率良く分配して用いることができる。したがって、装置の静音化、省電力化、および低コスト化を図ることが可能となる。
【図面の簡単な説明】
【図１】本発明の一実施形態に係る送風装置の概略構成を示す断面図
【図２】図１に示す送風装置の吹出口付近の構成を模式的に示す断面図
【図３】整流板の形状および配置の一例を示す図
【図４】本発明の一実施形態に係る投写型画像表示装置の光学系の概略構成図
【図５】図４に示す各液晶パネルを冷却するための構成を示す斜視図
【図６】図５に示す送風ダクトの構成を示す斜視図
【図７】従来の送風装置の断面図
【符号の説明】
１                        光源部
２                        インテグレータ部
３                        曲面ミラー
４                        投射部
６                        送風ダクト
７                        送風装置
９                        流量調整部
９Ａ〜９Ｃ                整流板
１１                      発光体
１２                      リフレクタ
２１                      第２フライアイ
２２                      第１フライアイ
２３                      偏光ビームスプリッタ
３１                      放物面ミラー
４０Ｂ，４０Ｒ            ダイクロイック面
４１，４２                ダイクロイックミラー
４３Ｂ，４３Ｇ，４３Ｒ    液晶パネル
４４〜４７                全反射ミラー
４５                      ３色合成プリズム
４８                      投写レンズ系
４８ａ                    鏡胴
６１                      連結部
６２                      ダクト部
６３Ｂ，６３Ｇ，６３Ｒ    送風口
６４Ｂ，６４Ｇ，６４Ｒ    取入口
７０，１１０              シロッコファン
７１，１１１              ファンブレード
８０，１２０              ファンカバー
８１，１２１              筐体
８１ａ，１２１ａ          内壁面
８２，１２２              吹出口
８２ａ，１１２ａ          吹出口の外端
１００                    従来の送風装置
ＬＢ，ＬＧ，ＬＲ          光束の成分
Ｃ                        シロッコファンの回転軸
【図１】
2004151648.tif 000003
【図２】
2004151648.tif 000004
【図３】
2004151648.tif 000005
【図４】
2004151648.tif 000006
【図５】
2004151648.tif 000007
【図６】
2004151648.tif 000008
【図７】
2004151648.tif 000009